(57)【特許請求の範囲】
【請求項１】
薬液カートリッジを収納し、一端側に嵌合穴を有する注射器本体と、
前記一端側に生体を穿刺可能な生体穿刺部を有し、他端側に前記薬液カートリッジの封止部材を刺通可能なカートリッジ刺通部を有する両頭針と、
前記両頭針の中間に固着され、前記嵌合穴に嵌合可能なフランジを有するハブと、
前記嵌合穴の周縁部に設けられ、前記ハブの前記フランジを前記嵌合穴に嵌合させると、前記フランジに係止するかまたは前記フランジを挟持する弾性変形可能な複数の係止爪を有する係止部材と、
前記両頭針の軸方向へ移動可能に設けられ、該両頭針の前記カートリッジ刺通部が貫通可能な貫通孔を有し、前記ハブを前記一端方向へ押圧する押圧部材と、該押圧部材を前記一端方向へ付勢可能な付勢部材とを有する押圧手段とを備え、
前記注射器本体には、前記嵌合穴の周縁部に、その内径が前記他端側に向かって漸減するテーパ面で構成された、前記係止爪の外方向への拡張を規制する規制部が設けられており、
前記各係止爪は、それぞれ、前記嵌合穴の周方向に沿って配置され、その先端が前記他端側かつ内側に向くように形成されており、
前記各係止爪が前記フランジの前記一端側の面に係止したまたは前記フランジの周面を挟持した係止状態では、前記各係止爪と前記規制部との間に間隙が形成され、前記係止部材の係止状態が解除されると、前記押圧部材により前記ハブを前記嵌合穴から前記一端方向へ押し出すよう構成されていることを特徴とする注射器。
【請求項２】
前記注射器本体にガイド孔を前記嵌合穴と同心状に形成し、前記嵌合穴と前記ガイド孔が連通するように構成した請求項１に記載の注射器。
【請求項３】
前記押圧部材は、前記注射器本体に対して回転不能とされている請求項１または２に記載の注射器。
【請求項４】
前記押圧部材は、前記注射器本体に形成されたガイド孔内で軸方向に摺動可能に設置された押圧ボルトと、前記押圧ボルトの前記一端側に形成したねじ部に螺合するナットとで構成され、
前記付勢部材は、前記ナットと前記嵌合穴の底部との間に設けられたスプリングである請求項１ないし３のいずれかに記載の注射器。
【請求項５】
前記付勢部材の付勢力を調節可能に構成されている請求項４に記載の注射器。
【請求項６】
前記注射器本体に、横断面が非円形の非円形部を有するガイド孔を設け、前記押圧部材の一部が、前記非円形部内に挿入されかつ前記非円形部に対応する形状をなしている請求項１ないし５のいずれかに記載の注射器。
【請求項７】
前記非円形部は、多角形形状をなしている請求項６に記載の注射器。
【請求項８】
前記係止部材が前記ハブの前記フランジに係止した状態で、前記押圧部材が前記他端方向へ移動可能となっている請求項１ないし７のいずれかに記載の注射器。
【請求項９】
前記ハブの装着時に前記ハブを前記注射器本体に対して回転不能にする回転止め手段を備える請求項１ないし８のいずれかに記載の注射器。
【請求項１０】
前記ハブの装着時に前記ハブを前記押圧部材に対して回転不能にする回転止め手段を備える請求項１ないし８のいずれかに記載の注射器。
【請求項１１】
前記回転止め手段は、前記ハブの他端部または前記嵌合穴の底部のいずれか一方に形成された複数の回転止め歯と、他方に形成され、前記回転止め歯に係合可能な係合突起とを備える請求項９または１０に記載の注射器。
【請求項１２】
前記注射器本体は、本体ベースと、この本体ベースの一端に着脱可能に設けられかつ前記嵌合穴を有する本体キャップとで構成される請求項１ないし１１のいずれかに記載の注射器。
【請求項１３】
前記注射器本体に軸方向へ移動可能に設けられ、前記薬液カートリッジのガスケットを前記一端方向へ押圧するプランジャーと、
前記プランジャーの他端に設けられ、掌を当てる掌当接部材と、
前記注射器本体に設けられ、指をかける指かけ部材とを備える請求項１ないし１２のいずれかに記載の注射器。
【請求項１４】
前記指かけ部材は、前記注射器本体に対して回転可能に設置されている請求項１３に記載の注射器。
【請求項１５】
前記各係止爪は、基端から先端に向かってその幅が減少するように構成したものである請求項１ないし１４のいずれかに記載の注射器。
【請求項１６】
前記各係止爪の基端付近に切り欠きを形成した請求項１ないし１５のいずれかに記載の注射器。
【請求項１７】
前記係止部材は、前記注射器本体に対して着脱可能にした請求項１ないし１６のいずれかに記載の注射器。
【請求項１８】
前記嵌合穴は、該嵌合穴内で前記フランジが前記両頭針の軸方向に移動し得るよう構成されている請求項１ないし１７のいずれかに記載の注射器。
【請求項１９】
口腔内に用いられる請求項１ないし１８のいずれかに記載の注射器。
【請求項２０】
請求項１ないし１９のいずれかに記載の注射器における前記両頭針を前記注射器本体から離脱させるための注射針離脱用器具であって、
器具本体を備え、
前記器具本体の先端部に、前記係止部材の前記各係止爪を押圧して変形させ、該係止部材の前記各係止爪と前記ハブの前記フランジとの係止を解除する押圧部を有することを特徴とする注射針離脱用器具。
【請求項２１】
前記押圧部は、円筒状をなし、その外径が前記他端方向に向かって漸減するテーパ面を有する請求項２０に記載の注射針離脱用器具。
【請求項２２】
前記押圧部は、円筒状をなし、その内径は、前記フランジの外径より僅かに大きい請求項２０または２１に記載の注射針離脱用器具。
【発明の詳細な説明】
【０００１】
【発明の属する分野】
本発明は、薬液カートリッジを収納して使用するタイプの注射器、および前記注射器において両頭針を注射器本体から離脱させるために用いられる注射針離脱用器具に関する。
【０００２】
【従来の技術】
一般に、薬液カートリッジを収納して使用するタイプの注射器は、薬液カートリッジを収納する注射器本体と、この注射器本体の一端部に着脱可能に設けられたハブ付きの両頭針とを備えている。ここで、両頭針の一端側には、生体を刺通可能な生体穿刺部が形成され、両頭針の他端側には、薬液カートリッジの封止部材を刺通可能なカートリッジ刺通部が形成され、両頭針の中間部には、ハブが固着されている。そして、両頭針を注射器本体に対して着脱可能にするため、注射器本体の一端部には、おねじ部が形成され、ハブの他端には、このおねじ部に螺合するめねじ部が形成されている。
【０００３】
ところで、注射器本体は滅菌処理を施すことにより複数回繰り返し使用されるが、両頭針は一回のみ使用され、使い捨てとされる。そのため、次のような作業が必要になる。
【０００４】
即ち、注射器により薬液の注射を行った後、使用済みの両頭針を注射器本体に対し所定方向に回転させて、おねじ部とめねじ部の螺合状態を解除することにより、両頭針を注射器本体から離脱させる。そして、未使用の両頭針を前記と逆方向に回転させて、おねじ部とめねじ部を螺合させることにより、滅菌処理を施した注射器本体に新たな未使用の両頭針を装着することができる。
【０００５】
しかし、両頭針の装着作業、特に両頭針の装着と離脱を伴う交換作業においては、両頭針を回転させておねじ部とめねじ部を螺合させたり、またはおねじ部とめねじ部の螺合状態を解除させたりする必要があり、その作業は、煩雑で手間と時間がかかるという問題がある。さらに、このような作業に際し、誤って針先で指を刺す危険性があり、作用には、細心の注意を要する。
【０００６】
特に、歯科や口腔外科では、口腔内という狭い部位に注射を行なうため、注射針を意図的に折り曲げ、先端方向を変えて使用することがあるが、一度折り曲げた針は元の形状に戻すことが困難なため、１つの薬液カートリッジの使用中に両頭針の交換を行なうことが多い。
【０００７】
このように、両頭針の着脱、交換の回数が増えると、その作業性、安全性の低下は、医療行為の円滑化を図る上で、問題となる。
【０００８】
【発明が解決しようとする課題】
本発明の目的は、両頭針の装着作業、特に両頭針の装着と離脱を伴う交換作業を簡単に短時間で、安全に行うことができる注射器、および注射針離脱用器具を提供することにある。
【０００９】
【課題を解決するための手段】
このような目的は、下記（１）〜（２２）の本発明により達成される。
【００１０】
（１）  薬液カートリッジを収納し、一端側に嵌合穴を有する注射器本体と、
前記一端側に生体を穿刺可能な生体穿刺部を有し、他端側に前記薬液カートリッジの封止部材を刺通可能なカートリッジ刺通部を有する両頭針と、
前記両頭針の中間に固着され、前記嵌合穴に嵌合可能なフランジを有するハブと、
前記嵌合穴の周縁部に設けられ、前記ハブの前記フランジを前記嵌合穴に嵌合させると、前記フランジに係止するかまたは前記フランジを挟持する弾性変形可能な複数の係止爪を有する係止部材と、
前記両頭針の軸方向へ移動可能に設けられ、該両頭針の前記カートリッジ刺通部が貫通可能な貫通孔を有し、前記ハブを前記一端方向へ押圧する押圧部材と、該押圧部材を前記一端方向へ付勢可能な付勢部材とを有する押圧手段とを備え、
前記注射器本体には、前記嵌合穴の周縁部に、その内径が前記他端側に向かって漸減するテーパ面で構成された、前記係止爪の外方向への拡張を規制する規制部が設けられており、
前記各係止爪は、それぞれ、前記嵌合穴の周方向に沿って配置され、その先端が前記他端側かつ内側に向くように形成されており、
前記各係止爪が前記フランジの前記一端側の面に係止したまたは前記フランジの周面を挟持した係止状態では、前記各係止爪と前記規制部との間に間隙が形成され、前記係止部材の係止状態が解除されると、前記押圧部材により前記ハブを前記嵌合穴から前記一端方向へ押し出すよう構成されていることを特徴とする注射器。
【００１１】
（２）  前記注射器本体にガイド孔を前記嵌合穴と同心状に形成し、前記嵌合穴と前記ガイド孔が連通するように構成した上記（１）に記載の注射器。
【００１３】
（３）  前記押圧部材は、前記注射器本体に対して回転不能とされている上記（１）または（２）に記載の注射器。
【００１４】
（４）  前記押圧部材は、前記注射器本体に形成されたガイド孔内で軸方向に摺動可能に設置された押圧ボルトと、前記押圧ボルトの前記一端側に形成したねじ部に螺合するナットとで構成され、
前記付勢部材は、前記ナットと前記嵌合穴の底部との間に設けられたスプリングである上記（１）ないし（３）のいずれかに記載の注射器。
【００１５】
（５）  前記付勢部材の付勢力を調節可能に構成されている上記（４）に記載の注射器。
【００１６】
（６）  前記注射器本体に、横断面が非円形の非円形部を有するガイド孔を設け、前記押圧部材の一部が、前記非円形部内に挿入されかつ前記非円形部に対応する形状をなしている上記（１）ないし（５）のいずれかに記載の注射器。
【００１７】
（７）  前記非円形部は、多角形形状をなしている上記（６）に記載の注射器。
【００１８】
（８）  前記係止部材が前記ハブの前記フランジに係止した状態で、前記押圧部材が前記他端方向へ移動可能となっている上記（１）ないし（７）のいずれかに記載の注射器。
【００１９】
（９）  前記ハブの装着時に前記ハブを前記注射器本体に対して回転不能にする回転止め手段を備える上記（１）ないし（８）のいずれかに記載の注射器。
【００２０】
（１０）  前記ハブの装着時に前記ハブを前記押圧部材に対して回転不能にする回転止め手段を備える上記（１）ないし（８）のいずれかに記載の注射器。
【００２１】
（１１）  前記回転止め手段は、前記ハブの他端部または前記嵌合穴の底部のいずれか一方に形成された複数の回転止め歯と、他方に形成され、前記回転止め歯に係合可能な係合突起とを備える上記（９）または（１０）に記載の注射器。
【００２２】
（１２）  前記注射器本体は、本体ベースと、この本体ベースの一端に着脱可能に設けられかつ前記嵌合穴を有する本体キャップとで構成される上記（１）ないし（１１）のいずれかに記載の注射器。
【００２３】
（１３）  前記注射器本体に軸方向へ移動可能に設けられ、前記薬液カートリッジのガスケットを前記一端方向へ押圧するプランジャーと、
前記プランジャーの他端に設けられ、掌を当てる掌当接部材と、
前記注射器本体に設けられ、指をかける指かけ部材とを備える上記（１）ないし（１２）のいずれかに記載の注射器。
【００２４】
（１４）  前記指かけ部材は、前記注射器本体に対して回転可能に設置されている上記（１３）に記載の注射器。
【００２５】
（１５）  前記各係止爪は、基端から先端に向かってその幅が減少するように構成したものである上記（１）ないし（１４）のいずれかに記載の注射器。
【００２６】
（１６）  前記各係止爪の基端付近に切り欠きを形成した上記（１）ないし（１５）のいずれかに記載の注射器。
【００２７】
（１７）  前記係止部材は、前記注射器本体に対して着脱可能にした上記（１）ないし（１６）のいずれかに記載の注射器。
【００２８】
（１８）  前記嵌合穴は、該嵌合穴内で前記フランジが前記両頭針の軸方向に移動し得るよう構成されている上記（１）ないし（１７）のいずれかに記載の注射器。
【００２９】
（１９）  口腔内に用いられる上記（１）ないし（１８）のいずれかに記載の注射器。
【００３０】
（２０） 上記（１）ないし（１９）のいずれかに記載の注射器における前記両頭針を前記注射器本体から離脱させるための注射針離脱用器具であって、
器具本体を備え、
前記器具本体の先端部に、前記係止部材の前記各係止爪を押圧して変形させ、該係止部材の前記各係止爪と前記ハブの前記フランジとの係止を解除する押圧部を有することを特徴とする注射針離脱用器具。
【００３１】
（２１）  前記押圧部は、円筒状をなし、その外径が前記他端方向に向かって漸減するテーパ面を有する上記（２０）に記載の注射針離脱用器具。
【００３２】
（２２）  前記押圧部は、円筒状をなし、その内径は、前記フランジの外径より僅かに大きい上記（２０）または（２１）に記載の注射針離脱用器具。
【００５１】
【発明の実施の形態】
以下、本発明の注射器を、添付図面に示す好適実施形態に基づいて詳細に説明する。
【００５２】
図１は、第１実施形態の注射器の一端側の半断面側面図、図２は、両頭針を装着する前の上記注射器の一端側の半断面側面図、図３は、図１において上から見た図、図４は、挟持部材の平面図、図５は、上記挟持部材の側面図、図６は、図１中のVI−VI線断面図、図７は、ハブの底面図、図８は、図１中の矢視部VIIIの拡大図、図９は、注射器の全体を示す側面図である。
【００５３】
なお、説明の都合上、図１、図２、図８、図９の上側を一端側、下側を他端側といい、図１、図２、図８、図９の上方向を一端方向、下方向を他端方向という。
【００５４】
図１、図２、図９に示すように、本発明の注射器１は、口腔内で使用されるもの、特に歯科用の注射器であり、薬液カートリッジ２を収納する注射器本体３を備えている。薬液カートリッジ２内には、例えば、麻酔液、抗生剤、抗炎症剤等の薬液が充填されている。
【００５５】
注射器本体３は、本体ベース４と、本体ベース４の一端部に着脱可能に設けられた本体キャップ５とを備えている。即ち、本体ベース４の一端部には、めねじ部４１が形成されており、本体キャップ５の他端部には、めねじ部４１に螺合するおねじ部５１が形成されており、これらが螺合して本体ベース４と本体キャップ５とが連結される。
【００５６】
注射器本体３の本体キャップ５には、両頭針６が支持（固定）される。この両頭針６は、以下に述べる構成により本体キャップ５に対して着脱可能とされている。
【００５７】
両頭針６の一端側には、生体を穿刺可能な生体穿刺部６１が、両頭針６の他端側には、薬液カートリッジ２の封止部材２１を刺通可能なカートリッジ刺通部６２が、それぞれ形成されている。生体穿刺部６１およびカートリッジ刺通部６２は、それぞれ、鋭利な針先を有している。
【００５８】
また、両頭針６の中間部には、ハブ７が固着されている。ハブ７の他端部には、ハブ７の最大外径を形成する鍔状のフランジ７１が設けられている。このフランジ７１は、本体キャップ５の一端部に形成された嵌合穴５２に嵌合可能である。
【００５９】
また、ハブ７の内部には、ハブ孔７２が形成されており、このハブ孔７２の内面には、必要に応じ、通常の注射器の注射器本体（図示省略）に装着するためのめねじ部７３が形成されていてもよい。
【００６０】
嵌合穴５２は、本体キャップ５の一端面から他端方向に凹没して形成されている。嵌合穴５２は、上面視で円形の形状をなし、その底部５２１付近の内径は、フランジ７１の外径と等しいかまたは若干大きく設定されている。
【００６１】
嵌合穴５２の周縁部には、ハブ７のフランジ７１を嵌合穴５２に嵌合（挿入）すると、弾性力によりフランジ７１の周面を挟持する環状の挟持部材８が設置されている。
【００６２】
図２ないし図５に示すように、挟持部材８は、全体形状が略円環状をなし、その周方向に沿って等間隔に配置された弾性変形可能な複数の挟持爪８１を備えている。換言すれば、挟持部材８は、その中心方向に向かって突出する櫛歯状の挟持爪８１が形成されたものである。各挟持爪８１は、その先端付近に挟持面８２を有している。
【００６３】
自然状態（外力が作用していない状態）において、挟持部材８の内径、即ち、各挟持爪８１の先端を結ぶ円の直径ｄは、フランジ７１の外径より若干小さくなるように構成されている。
【００６４】
また、各挟持爪８１は、その先端が他端側かつ内側（嵌合穴５２の中心方向）に向くように配置されている。これにより、ハブ７のフランジ７１を嵌合穴５２に嵌合させる際に、複数の挟持爪８１が嵌合動作の妨げになることなく、容易かつ確実に嵌合させることができる。
【００６５】
また、各挟持爪８１は、基端から先端に向かってその幅が減少（好ましくは漸減）するように構成されている。そして、各挟持爪８１の基端付近に切り欠き８３が形成されている。これにより、各挟持爪８１の基端付近の剛性を保ちつつ、挟持爪８１の基端付近の曲げの容易性を高め、挟持面８２の変形動作を円滑に行なうとともに、フランジ７１の挟持状態を安定的に保持することができる。
【００６６】
図１、図２、図６、図８に示すように、挟持部材８は、その外周部（非変形部）を本体キャップ５と取付リング９とで挟持することにより、本体キャップ５に対し好ましくは着脱可能に固定されている。これにより、例えば、挟持力の異なる挟持部材８を選択して用いる場合や、挟持部材８の挟持爪８１が曲げ変形等に起因して劣化し、挟持力が低下した場合等に、注射器１全体を交換することなく、挟持部材８のみ交換すれば足りる。また、本体キャップ５を本体ベース４から離脱させることにより、挟持部材８の交換作業を簡単に行なうことができる。
【００６７】
このような挟持部材８は、好ましくは金属材料で構成されている。その構成材料としては、例えば、ＳＵＳ３０４、ＳＵＳ３１６、ＳＵＳ３１８、ＳＵＳ３０１、ＳＵＳ３０２、ＳＵＳ３０４Ｎ１、ＳＵＳ６３１、ＳＵＳ６３１Ｊ１、バネ用鋼材ＳＵＰ、黄銅、洋白、りん青銅、ベリリウム銅、炭素鋼、炭素工具鋼等のステンレス鋼等が挙げられる。
【００６８】
また、挟持部材８全体または各挟持爪８１に対し、例えば、焼き入れ、焼き戻し等の熱処理や、その他、化成処理、窒化処理、メッキ処理、チタンコーティング等を施して、材料の強度、靭性、耐食性、耐磨耗性等を向上させたものを用いてもよい。
【００６９】
このような挟持部材８によれば、注射器１を多数回洗浄、滅菌（消毒）した場合でも、物理的特性の変化（特に劣化）が少なく、耐久性に優れる。
【００７０】
嵌合穴５２の周縁部には、複数の挟持爪８１の外方向（嵌合穴５２の中心から離れる方向）への拡がりを規制する規制部５３が形成されている。この規制部５３は、その内径が他端方向に向かって漸減するテーパ面で構成されている。このような規制部（規制テーパ面）５３を設けることにより、挟持爪８１の最大拡開状態が規制され、必要以上に大きく開くことが阻止されるので、挟持爪８１の劣化、特に挟持力の経時的減少を抑制することができる。
【００７１】
また、各挟持爪８１がフランジ７１の周面を挟持した状態で、規制部５３と挟持爪８１との間には、間隙Ｓが形成される。これにより、各挟持爪８１がフランジ７１の周面を挟持した状態から、各挟持爪８１はさらに外方向へ拡開するように曲げ変形することが可能であり、両頭針６を本体キャップ５から確実に離脱させることができる。
【００７２】
なお、規制部５３は、本体キャップ５に直接形成されたものであってもよく、また、本体キャップ５に対し着脱可能な別部材（例えばリング部材）に形成されたものであっても差し支えない。
【００７３】
本体キャップ５には、第１ガイド孔５４および第２ガイド孔５５が嵌合穴５２と同心状に形成されている。第２ガイド孔５５は第１ガイド孔５４より大きい内径を有し、両ガイド孔の間には、段差が形成されている。
【００７４】
第１ガイド孔５４と第２ガイド孔５５とは、嵌合穴５２に連通している。第１ガイド孔５４内には、押圧ボルト１０が軸方向（図１、図２、図８、図９中上下方向）へ移動可能に設けられている。この押圧ボルト１０は、ボルト本体１０１と、ボルト本体１０１の一端付近に形成されたねじ部１０２と、ボルト本体１０１の他端に形成され第２ガイド孔５５内に軸方向へ移動可能に挿入された円板状のボルトヘッド１０３とで構成される。
【００７５】
また、押圧ボルト１０の中心部には、両頭針６のカートリッジ刺通部６２が貫通可能な貫通孔１０４が形成されている。
【００７６】
押圧ボルト１０のねじ部１０２には、ナット１１が螺合されておてり、ナット１１と嵌合穴５２の底部の間には、押圧ボルト１０およびナット１１を一端方向へ付勢する付勢部材としてのスプリング１２が設置されている。押圧ボルト１０は、ボルトヘッド１０３およびナット１１によりその移動限界が規制され、第１ガイド孔５４および第２ガイド孔５５から離脱しないように構成されている。
【００７７】
このような押圧ボルト１０とナット１１とで、ハブ７を一端方向へ押圧する押圧部材が構成される。そして、挟持部材８によるハブ７の挟持状態が解除されると、スプリング１２の付勢力により、押圧ボルト１０およびナット１１がハブ７を嵌合穴５２から一端方向へ押し出す。
【００７８】
また、ナット１１は、ねじ部１０２の作用により、押圧ボルト１０の軸方向の位置を変更することができる。これにより、スプリング１２の付勢力を調節し、ハブ７の押し出し力を所望に設定することができる。
【００７９】
なお、スプリング１２に代え、例えばゴムのような弾性材料で構成された弾性部材を用いてもよい。
【００８０】
図２、図７に示すように、ハブ７の他端には、複数の回転止め歯７４が環状に配置されるよう形成されている。各回転止め歯７４は、断面が山型状となっている。
【００８１】
一方、嵌合穴５２の底部５２１には、隣接する回転止め歯７４の間、即ち回転止め歯７４の谷部に係合する複数（例えば４つ）の係合突起５６が等間隔（９０°間隔）で設けられている。各係合突起５６は、断面が山型状となっている。これら複数の回転止め歯７４と複数の係合突起５６とで、ハブ７を本体キャップ５に対して回転不能にする回転止め手段が構成される。
【００８２】
なお、ハブ７の他端に代えて嵌合穴５２の底部５２１に複数の回転止め歯を形成し、嵌合穴５２の底部５２１に代えてハブ７の他端に複数の係合突起を形成してもよい。
【００８３】
図９に示すように、注射器本体３の本体ベース４には、薬液カートリッジ２を視認するための窓部４３が形成されている。この窓部４３を介して、例えば薬液カートリッジ２内の残液状態を視認することができる。
【００８４】
注射器本体３の本体ベース４には、薬液カートリッジ２のガスケット２２を一端方向へ押圧するプランジャー１３が軸方向へ移動可能に設けられている。
【００８５】
このプランジャー１３は、本体ベース４の他端から本体ベース４外へ突出し、その他端には、掌を当てる掌当接部材１４が設けられている。
【００８６】
また、本体ベース４の他端側部分には、指をかける指かけ部材１５が設けられている。この指かけ部材１５は、本体ベース４のガイド環４２に回転可能に設けられた回転リング１５１と、回転リング１５１に一体的に設けられた一対の指かけアーム１５２とで構成され、本体ベース４に対し回転可能とされている。
【００８７】
注射器本体３の各部（本体ベース４、本体キャップ５、プランジャー１３、掌当接部材１４、指かけ部材１５）の構成材料は、特に限定されず、例えば、ステンレス鋼、チタン、チタン系合金等の各種金属材料や、各種硬質樹脂、各種セラミックス等が挙げられる。
【００８８】
図１０は、本発明の注射針離脱用器具を用いた両頭針の離脱作業の説明図である。
【００８９】
図１０に示すように、注射針離脱用器具１６は、略円筒状の器具本体１６１を備えている。器具本体１６１の先端部には、挟持部材８の各挟持爪８１を他端方向へ押圧して各挟持爪８１を拡開するよう変形させ、挟持を解除する押圧部１６２が設けられている。
【００９０】
この押圧部１６２は、円筒状をなし、その外径が他端方向に向かって漸減するテーパ面１６３を有している。また、押圧部１６２の内径は、ハブ７のフランジ７１の外径より僅かに大きく設定されている。このような形状の押圧部１６２を有することにより、簡単な操作で、挟持部材８によるフランジ７１の挟持を確実に解除することができる。
【００９１】
注射針離脱用器具１６の構成材料は、特に限定されず、例えば、ステンレス鋼、チタン、チタン系合金等の各種金属材料や、各種硬質樹脂、各種セラミックス等が挙げられる。
【００９２】
なお、図示されていないが、注射針離脱用器具１６は、両頭針６の一端側の針先の飛び出しを阻止するための針止め（ストッパー）を有していてもよい。
【００９３】
次に、第１実施形態の注射器１の作用を説明する。
［１］  まず、所望の薬液カートリッジ２が装填された注射器本体３と、これに装着すべきハブ７付きの両頭針６とを用意し、操作者（医師、歯科医師等）は、両頭針６を本体キャップ５に装着する前の図２に示す状態から、両頭針６のハブ７を本体キャップ５の一端部（嵌合穴５２の形成部分）に向き合わせる。
【００９４】
［２］  次に、操作者は、両頭針６のカートリッジ刺通部６２を押圧ボルト１０の貫通孔１０４に貫通させるとともに、スプリング１２の付勢力に抗しつつ、ハブ７を本体キャップ５に対し他端方向へ相対的に移動させて、ハブ７のフランジ７１を嵌合穴５２の底部５２１に接近させる。これにより、両頭針６のカートリッジ刺通部６２が薬液カートリッジ２の封止部材２１を刺通するとともに、ハブ７のフランジ７１が各挟持爪８１を他端方向へ押圧し、各挟持爪８１は、外方向へ拡開するようにその基端付近を中心として曲げ変形する。
【００９５】
［３］  さらに操作者は、スプリング１２の付勢力および各挟持爪８１の弾性力（復元力）に抗しつつ、ハブ７、押圧ボルト１０、ナット１１を本体キャップ５に対し他端方向へ相対的に移動させ、ハブ７のフランジ７１が嵌合穴５２の底部５２１に接触するように、ハブ７のフランジ７１を嵌合穴５２に押し込み、嵌合させる。これにより、各挟持爪８１がさらに外方向へ拡がるように曲げ変形し、それら挟持爪８１が元に戻ろうとする弾性力（復元力）によって、ハブ７のフランジ７１の周面が挟持される。
【００９６】
このように、螺合構造を持つ従来の注射器のように両頭針６を回転させる操作を行なうことなく、両頭針６の注射器本体３に対する軸方向の移動操作により、両頭針６を本体キャップ５に装着することができる。従って、両頭針６の装着作業を簡単かつ短時間で行うことができ、両頭針６による誤刺も防止され、医療行為の円滑化、安全化が図れる。
【００９７】
［４］  また、ハブ７のフランジ７１が嵌合穴５２に嵌合し、挟持部材８に挟持されると、ハブ７の回転止め歯７４と本体キャップ５の係合突起５６とが係合する。これにより、ハブ７の本体キャップ５に対する（即ち注射器本体３に対する）回転が禁止される。その結果、本体キャップ５に対する両頭針６の装着状態をより強固にすることができ、注射器本体３を把持した状態で、生体穿刺部６１の針先の方向が回転により不本意に変わってしまうこともなく、注射器１による穿刺操作および薬液の注入操作を安定して行なうことができる。
【００９８】
［５］  前記［３］、［４］の操作が終了した後、操作者は、掌当接部材１４に掌を当て、かつ指かけ部材１５に指をかけた状態で、両頭針６の生体穿刺部６１により生体（例えば、皮膚、粘膜、歯茎など）を刺通する。さらに操作者は、プランジャー１３を一端方向へ押圧して、薬液カートリッジ２内の薬液を両頭針６内の流路を介して生体に注入する。
【００９９】
ここで、生体の刺通箇所等に応じて、両頭針６の生体穿刺部６１側を折り曲げた場合等であっても、折り曲げられた生体穿刺部６１の針先の向きに対応して、指かけ部材１５を本体ベース４に対して回転させることにより、操作者は、常に好ましい針先の方向で、かつプランジャー１３の操作がし易い安定した姿勢で注射を行うことができる。
【０１００】
［６］  前記［５］の操作が終了した後、操作者は、使用済みの両頭針６を注射器本体３から取り外す。まず、両頭針６の生体穿刺部６１側を注射針離脱用器具１６の器具本体１６１内に挿入し、注射針離脱用器具１６の他端を本体キャップ５の嵌合穴５２に向き合わせる。
【０１０１】
［７］  次に、操作者は、注射針離脱用器具１６を本体キャップ５に対し他端方向へ相対的に移動し、押圧部１６２により挟持部材８の各挟持爪８１を他端方向へ押圧する。これにより、各挟持爪８１は、外方向へ押し拡げられ、挟持爪８１によるフランジ７１の挟持状態が解除される。
【０１０２】
また、これと同時に、スプリング１２で付勢された押圧ボルト１０およびナット１１により、ハブ７が嵌合穴５２内から一端方向へ押し出され、両頭針６のカートリッジ刺通部６２が封止部材２１から抜き取られる。
【０１０３】
このように、螺合構造を持つ従来の注射器のように両頭針６を回転させる操作を行なうことなく、注射針離脱用器具１６の軸方向の押圧操作により、両頭針６を本体キャップ５から離脱させることができる。従って、両頭針６の離脱操作を簡単かつ短時間で行うことができ、医療行為の円滑化が図れる。
【０１０４】
特に、注射針離脱用器具１６の器具本体１６１を筒状に構成し、その内部に両頭針６の生体穿刺部６１が収納された状態で、両頭針６の離脱操作が行われるため、操作者は両頭針６に触れることがなく、両頭針６の離脱操作を安全に行うことができる。
【０１０５】
［８］  前記［７］の操作が終了した後、新たに交換すべき両頭針６に対して前記［１］ないし［４］と同様の操作を行うことにより、新たな両頭針６への交換を行うことができる。
【０１０６】
次に、注射器の第２の実施形態について説明する。
図１１は、第２実施形態の注射器の一端側の半断面側面図、図１２は、両頭針を装着する前の上記注射器の一端側の半断面側面図、図１３は、図１１において上から見た図、図１４は、係止部材の平面図、図１５は、上記係止部材の側面図、図１６は、図１１中のXVI−XVI線断面図、図１７は、図１１中の矢視部XVIIの拡大図である。
【０１０７】
なお、説明の都合上、図１１、図１２、図１７の上側を一端側、下側を他端側といい、図１１、図１２、図１７の上方向を一端方向、下方向を他端方向という。
【０１０８】
第２実施形態に係わる注射器１Ａは、第１実施形態に係わる注射器１の各構成要素のうちの注射器本体３（本体ベース４と本体キャップ５）、両頭針６およびハブ７については同様であり、図面中同一符号を付し、その説明を省略する。また、注射器１Ａにおけるその他の特徴ある構成については、注射器１と対応する構成要素の同一符号にＡ符号を付して説明する。
【０１０９】
図１１ないし図１５に示すように、本体キャップ５には、嵌合穴５２Ａが形成されている。この嵌合穴５２Ａは、前記嵌合穴５２より深く形成され、嵌合穴５２Ａ内でハブ７のフランジ７１が軸方向に移動し得るよう構成されている。
【０１１０】
本体キャップ５の嵌合穴５２の一端側の周縁部には、ハブ７のフランジ７１を嵌合穴５２Ａに嵌合（挿入）すると、フランジ７の一端側の面（図１１中上面）に係止する環状の係止部材８Ａが設置されている。
【０１１１】
この係止部材８Ａは、前述した挟持部材８と実質的に同一のものであるが、そのハブ７に対する作動、機能が異なるため、以下、簡単に説明する。
【０１１２】
係止部材８Ａは、全体形状が略円環状をなし、その周方向に沿って等間隔に配置された弾性変形可能な複数の係止爪８１Ａを備えている。換言すれば、係止部材８Ａは、その中心方向に向かって突出する櫛歯状の係止爪８１Ａが形成されたものである。
【０１１３】
自然状態（外力が作用していない状態）において、係止部材８Ａの内径、即ち、各係止爪８１Ａの先端を結ぶ円の直径ｄは、フランジ７１の外径より若干小さくなるように構成されている。
【０１１４】
また、各係止爪８１Ａは、その先端が他端側かつ内側（嵌合穴５２の中心方向）に向くように配置されている。これにより、ハブ７のフランジ７１を嵌合穴５２Ａに嵌合させる際に、複数の係止爪８１Ａが嵌合動作の妨げになることなく、容易かつ確実に嵌合させることができる。
【０１１５】
また、各係止爪８１Ａは、基端から先端に向かってその幅が減少（好ましくは漸減）するように構成されている。そして、各係止爪８１Ａの基端付近に切り欠き８３が形成されている。これにより、各係止爪８１Ａの基端付近の剛性を保ちつつ、係止爪８１Ａの基端付近の曲げの容易性を高め、その変形動作を円滑に行なうとともに、フランジ７１に確実に係止し、その係止状態を安定的に保持することができる。
【０１１６】
係止部材８Ａは、その外周部（非変形部）を本体キャップ５と取付リング９とで挟持することにより、本体キャップ５に対し好ましくは着脱可能に固定されている。これにより、例えば、フランジ７への係止時の圧着力が異なる係止部材８Ａを選択して用いる場合や、係止部材８Ａの係止爪８１Ａが曲げ変形等に起因して劣化し、弾性力が低下した場合等に、注射器１全体を交換することなく、係止部材８Ａのみ交換すれば足りる。また、本体キャップ５を本体ベース４から離脱させることにより、係止部材８Ａの交換作業を簡単に行なうことができる。
【０１１７】
なお、係止部材８Ａの構成材料や各種処理等については、前記挟持部材８で述べたのと同様である。
【０１１８】
嵌合穴５２の周縁部には、複数の係止爪８１Ａの外方向（嵌合穴５２の中心から離れる方向）への拡がりを規制する規制部５３Ａが形成されている。この規制部５３Ａは、その内径が他端方向に向かって漸減するテーパ面で構成されている。このような規制部（規制テーパ面）５３Ａを設けることにより、係止爪８１Ａの最大拡開状態が規制され、必要以上に大きく開くことが阻止されるので、係止爪８１Ａの劣化、特に挟持力の経時的減少を抑制することができる。
【０１１９】
また、各係止爪８１Ａがフランジ７１の一端側の面に係止した状態で、規制部５３Ａと係止爪８１Ａとの間には、間隙Ｓが形成される。これにより、各係止爪８１Ａがフランジ７１に係止した状態から、各係止爪８１Ａはさらに外方向へ拡開するように曲げ変形することが可能であり、両頭針６を本体キャップ５から確実に離脱させることができる。
【０１２０】
なお、規制部５３Ａは、本体キャップ５に直接形成されたものであってもよく、また、本体キャップ５に対し着脱可能な別部材（例えばリング部材）に形成されたものであっても差し支えない。
【０１２１】
図１１、図１２、図１６、図１７に示すように、本体キャップ５には、第１ガイド孔５４Ａおよび第２ガイド孔５５Ａが嵌合穴５２Ａと同心状に形成されている。第２ガイド孔５５Ａは第１ガイド孔５４Ａより大きい内径を有し、両ガイド孔の間には、段差が形成されている。
【０１２２】
第１ガイド孔５４Ａと第２ガイド孔５５Ａとは、嵌合穴５２Ａに連通している。
【０１２３】
第１ガイド孔５４Ａ内には、押圧ボルト１０Ａが軸方向（図１１、図１２、図１７中上下方向）へ移動可能に設けられている。この押圧ボルト１０Ａは、ボルト本体１０１Ａと、ボルト本体１０１Ａの一端付近に形成されたねじ部１０２Ａと、ボルト本体１０２Ａの他端に形成され第２ガイド孔５５Ａ内に軸方向へ移動可能に挿入されたボルトヘッド１０３Ａとで構成される。
【０１２４】
押圧ボルト１０Ａのねじ部１０２Ａには、ナット１１Ａが螺合されており、ナッ１１Ａと嵌合穴５２Ａの底部の間には、押圧ボルト１０Ａおよびナット１１Ａを一端方向へ付勢する付勢部材としてのスプリング１２Ａが設置されている。押圧ボルト１０Ａは、ボルトヘッド１０３Ａおよびナット１１Ａによりその移動限界が規制され、第１ガイド孔５４Ａおよび第２ガイド孔５５Ａから離脱しないように構成されている。
【０１２５】
このような押圧ボルト１０Ａとナット１１Ａとで、ハブ７を一端方向へ押圧する押圧部材が構成される。そして、係止部材８Ａによるハブ７の係止状態が解除されると、スプリング１２Ａの付勢力により、押圧ボルト１０Ａおよびナット１１Ａがハブ７を嵌合穴５２Ａから一端方向へ押し出す。
【０１２６】
また、ナット１１Ａは、ねじ部１０２Ａの作用により、押圧ボルト１０Ａの軸方向の位置を変更することができる。これにより、スプリング１２Ａの付勢力を調節し、ハブ７の押し出し力を所望に設定することができる。
【０１２７】
このような構成の注射器１Ａでは、係止部材８Ａの各係止爪８１Ａがハブ７のフランジ７１の一端側の面に係止した状態（係止状態）で、押圧ボルト１０Ａおよびナット１１Ａは、それ以上一端方向へは移動しないが、他端方向へは移動することができるようになっている。これにより、係止状態で規制部５３Ａと係止爪８１Ａとの間に間隙Ｓを有することと相まって、各係止爪８１Ａは、フランジ７１の一端側の面に係止した状態からさらに外方向へ拡開するように変形し、係止を解除することが可能となり、両頭針６を本体キャップ５から確実に離脱させることができる。
【０１２８】
押圧ボルト１０Ａおよびナット１１Ａで構成される押圧部材は、注射器本体３に対して回転不能とされている。これは、第２ガイド孔５５Ａと、この内部に挿入されているボルトヘッド１０３Ａの横断面形状を、それぞれ、例えば多角形形状のような非円形とすること（非円形部を形成すること）によりなされる。
【０１２９】
即ち、図１６に示すように、第２ガイド孔５５Ａおよびこれに挿入されるボルトヘッド１０３Ａの横断面形状をそれぞれ六角形（多角形）としている。これにより、ボルトヘッド１０３Ａは、第２ガイド孔５５Ａ内で軸方向には移動可能であるが、回転することはできない。
【０１３０】
なお、非円形部の横断面形状は、図示のものに限定されず、押圧部材の注射器本体３に対する回転を阻止し得るものであれば、いかなる形状であってもよい。
【０１３１】
ハブ７の他端には、断面が山型状の複数の回転止め歯７４が環状に配置されるよう形成されている。一方、ナット１１Ａの一端側の面には、隣接する回転止め歯７４の間、即ち回転止め歯７４の谷部に係合する複数（例えば４つ）の係合突起１１１Ａが等間隔（９０°間隔）で設けられている。各係合突起１１１Ａは、断面が山型状となっている。
【０１３２】
複数の回転止め歯７４と複数の係合突起１１１Ａとで、ハブ７をナット１１Ａおよび押圧ボルト１０Ａに対して回転不能とし、さらに、前述したように、ボルトヘッド１０３Ａを第２ガイド孔５５Ａに対して回転不能としている。従って、装着されたハブ７は、本体キャップ５に対し、即ち注射器本体３に対し回転不能とされる。
【０１３３】
なお、ハブ７の他端に代えてナット１１Ａの一端側の面に複数の回転止め歯を形成し、かつナット１１Ａの一端側の面に代えてハブ７の他端に複数の係合突起を形成してもよい。
【０１３４】
図１８は、本発明の注射針離脱用器具を用いた両頭針の離脱作業の説明図である。用いる注射針離脱用器具１６は、前記第１実施形態と同様のものである。
【０１３５】
図１８に示すように、注射針離脱用器具１６の押圧部１６２により、フランジ７１に係止している係止部材８Ａの各係止爪８１Ａを他端方向へ押圧すると、スプリング１２Ａの弾性力に抗してハブ７および押圧部材（押圧ボルト１０Ａおよびナット１１Ａ）が他端方向へ移動し、これに伴い、各係止爪８１Ａが外方へ向けて拡開し、係止が解除される。
【０１３６】
押圧部１６２は、その外面にテーパ面１６３を有しており、また、押圧部１６２の内径は、ハブ７のフランジ７１の外径より僅かに大きく設定されている。このような構成とすることにより、簡単な操作で、係止部材８Ａによるフランジ７１の係止を確実に解除することができる。
【０１３７】
次に、第２実施形態の注射器１Ａの作用を説明する。
［１］  まず、所望の薬液カートリッジ２が装填された注射器本体３と、これに装着すべきハブ７付きの両頭針６とを用意し、操作者（医師、歯科医師等）は、両頭針６を本体キャップ５に装着する前の図２に示す状態から、両頭針６のハブ７を本体キャップ５の一端部（嵌合穴５２Ａの形成部分）に向き合わせる。
【０１３８】
［２］  次に、操作者は、両頭針６のカートリッジ刺通部６２を押圧ボルト１０Ａの貫通孔１０４Ａに貫通させるとともに、スプリング１２Ａの付勢力に抗しつつ、ハブ７を本体キャップ５に対し他端方向へ相対的に移動させて、ハブ７のフランジ７１を嵌合穴５２Ａの一端付近に接近させる。これにより、両頭針６のカートリッジ刺通部６２が薬液カートリッジ２の封止部材２１を刺通するとともに、ハブ７のフランジ７１が各係止爪８１Ａを他端方向へ押圧し、各係止爪８１Ａは、徐々に外方向へ拡開するよう変形する。
【０１３９】
［３］  さらに操作者は、スプリング１２Ａの付勢力および各係止爪８１Ａの弾性力（復元力）に抗しつつ、ハブ７、押圧ボルト１０、ナット１１を本体キャップ５に対し他端方向へ相対的に移動させるよう、ハブ７のフランジ７１を嵌合穴５２Ａ内に徐々に押し込んでゆく。すると、各係止爪８１Ａは、最も拡開した状態となり、ハブ７が各係止爪８１Ａを乗り越え、係止部材８Ａの他端側へ移動する。このようにハブ７が各挟持爪８１を乗り越えると、各係止爪８１Ａはその弾性力（復元力）により再び閉じ、各係止爪８１Ａの先端を結ぶ円の直径ｄは、フランジ７１の外径より小さくなる。
【０１４０】
また、ハブ７は、スプリング１２Ａの付勢力により一端方向へ押圧されているため、手によりハブ７に作用させている他端方向への押圧力を解除すると、ハブ７は、一端方向へ戻ろうとし、これにより、フランジ７１の一端側の面に各係止爪８１Ａが係止する。この係止により、ハブ７の一端方向への移動は停止し、それ以上一端方向へは移動しない。
【０１４１】
このように、螺合構造を持つ従来の注射器のように両頭針６を回転させる操作を行なうことなく、両頭針６の注射器本体３に対する軸方向の移動操作により、両頭針６を本体キャップ５に装着することができる。従って、両頭針６の装着作業を簡単かつ短時間で行うことができ、両頭針６による誤刺も防止され、医療行為の円滑化、安全化が図れる。
【０１４２】
［４］  また、ハブ７のフランジ７１が嵌合穴５２Ａに嵌合し、係止部材８Ａが係止すると、ハブ７の回転止め歯７４とナット１１Ａの係合突起１１１Ａとが係合する。そして、前述したように押圧ボルト１０Ａが本体キャップ５に対して回転不能であるため、ハブ７の本体キャップ５に対する（即ち注射器本体３に対する）回転が禁止される。その結果、本体キャップ５に対する両頭針６の装着状態をより強固にすることができ、注射器本体３を把持した状態で、生体穿刺部６１の針先の方向が回転により不本意に変わってしまうこともなく、注射器１による穿刺操作および薬液の注入操作を安定して行なうことができる。
【０１４３】
［５］  前記［３］、［４］の操作が終了した後に、前記第１実施形態の作用における［５］と同様の操作を行う。
【０１４４】
［６］  前記［５］の操作が終了した後、操作者は、使用済みの両頭針６を注射器本体３から取り外す。まず、両頭針６の生体穿刺部６１側を注射針離脱用器具１６の器具本体１６１内に挿入し、注射針離脱用器具１６の他端を本体キャップ５の嵌合穴５２Ａに向き合わせる。
【０１４５】
［７］  次に、操作者は、注射針離脱用器具１６を本体キャップ５に対し他端方向へ相対的に移動し、押圧部１６２により係止部材８Ａの各係止爪８１Ａを他端方向へ押圧する。これにより、各係止爪８１Ａは、外方向へ押し拡げられる。そして、各係止爪８１Ａの先端を結ぶ円の直径ｄがフランジ７１の外径に到達すると、ハブ７がスプリング１２Ａの付勢力により一端方向へ押圧されていることから、フランジ７１が各係止爪８１Ａを前記と逆方向に乗り越え、各係止爪８１Ａによる係止が解除される。
【０１４６】
係止が解除されることによって、スプリング１２Ａで付勢された押圧ボルト１０Ａおよびナット１１Ａにより、ハブ７が嵌合穴５２Ａ内から一端方向へ押し出され、両頭針６のカートリッジ刺通部６２が封止部材２１から抜き取られる。
【０１４７】
このように、螺合構造を持つ従来の注射器のように両頭針６を回転させる操作を行なうことなく、注射針離脱用器具１６の軸方向の押圧操作により、両頭針６を本体キャップ５から離脱させることができる。従って、両頭針６の離脱操作を簡単かつ短時間で行うことができ、医療行為の円滑化が図れる。
【０１４８】
特に、注射針離脱用器具１６の器具本体１６１を筒状に構成し、その内部に両頭針６の生体穿刺部６１が収納された状態で、両頭針６の離脱操作が行われるため、操作者は両頭針６に触れることがなく、両頭針６の離脱操作を安全に行うことができる。
【０１４９】
［８］  前記［７］の操作が終了した後、新たに交換すべき両頭針６に対して前記［１］ないし［４］と同様の操作を行うことにより、新たな両頭針６への交換を行うことができる。
【０１５０】
以上、本発明の注射器および注射針離脱用器具を図示の実施形態に基づいて説明したが、本発明は、これらに限定されず、各部の構成は、同様の機能を発揮し得る任意のものに置換することができる。特に、挟持部材や係止部材（固定部材）の形状、構造、機能等は、ハブを固定し得るものであれば、いかなるものでもよい。
【０１５１】
【発明の効果】
以上述べたように、本発明の注射器によれば、ハブを軸方向に移動してフランジを嵌合穴に嵌合させることにより、両頭針を回転操作することなく、注射器本体に装着することができ、よって、両頭針の装着作業、特に、両頭針の着脱を伴う交換作業を簡単かつ短時間に、しかも安全に行うことができ、医療行為の円滑化が図れる。
【０１５２】
また、ハブを注射器本体に対して回転不能とすることにより、両頭針の装着状態をより強固にするとともに、針先の方向の不本意な変更が防止され、針の穿刺や薬液の注射を確実に安定的に行なうことができ、誤操作を防止することができる。
【０１５３】
また、本発明の注射針離脱用器具を用いると、両頭針の離脱作業をより簡単かつ確実に行うことができる。特に、器具本体を筒状に構成し、その内部に針先を収納するようにすると、操作者が両頭針に触れることなく、両頭針の離脱作業を安全に行うことができる。
【０１５４】
また、指かけ部材を注射器本体に対して回転可能に構成することにより、両頭針を注射器本体に装着した後でも、針先の刃面の向きや、針を折り曲げて使用する場合の針先の向きを自由に設定することができ、薬液の注射の際の操作性が向上する。また、このように、両頭針を注射器本体に装着した後でも針先の方向等を自由に変更できるので、両頭針を注射器本体に装着する際に、注射器本体に対する周方向の位置を考えることなく装着作業を行なうことができるので、その作業性がさらに向上する。
【図面の簡単な説明】
【図１】第１実施形態の注射器（両頭針装着状態）の一端側の半断面側面図である。
【図２】第１実施形態の注射器（両頭針未装着状態）の一端側の半断面側面図である。
【図３】図１において上から見た図である。
【図４】挟持部材の平面図である。
【図５】挟持部材の側面図である。
【図６】図１中のVI−VI線断面図である。
【図７】ハブの底面図である。
【図８】図１中の矢視部VIIIの拡大図である。
【図９】注射器全体を示す側面図である。
【図１０】注射針離脱用器具を用いた両頭針の離脱作業の説明図である。
【図１１】第２実施形態の注射器（両頭針装着状態）の一端側の半断面側面図である。
【図１２】第２実施形態の注射器（両頭針未装着状態）の一端側の半断面側面図である。
【図１３】図１１において上から見た図である。
【図１４】係止部材の平面図である。
【図１５】係止部材の側面図である。
【図１６】図１１中のXVI−XVI線断面図である。
【図１７】図１１中の矢視部XVIIの拡大図である。
【図１８】注射針離脱用器具を用いた両頭針の離脱作業の説明図である。
【符号の説明】
１            注射器
２            薬液カートリッジ
２１          封止部材
２２          ガスケット
３            注射器本体
４            本体ベース
４１          おねじ部
４２          ガイド環
４３          窓部
５            本体キャップ
５１          めねじ部
５２          嵌合穴
５２１        底部
５３          規制部
５４          第１ガイド孔
５５          第２ガイド孔
５６          係合突起
６            両頭針
６１          生体穿刺部
６２          カートリッジ刺通部
７            ハブ
７１          フランジ
７２          ハブ孔
７３          めねじ部
７４          回転止め歯
８            挟持部材
８１          挟持爪
８２          挟持面
８３          切り欠き
９            取付リング
１０          押圧ボルト
１０１        ボルト本体
１０２        ねじ部
１０３        ボルトヘッド
１０４        貫通孔
１１          ナット
１２          スプリング
１３          プランジャー
１４          掌当接部材
１５          指かけ部材
１５１        回転リング
１５２        指かけアーム
１６          注射針離脱用器具
１６１        器具本体
１６２        押圧部
１Ａ          注射器
５２Ａ        嵌合穴
５３Ａ        規制部
５４Ａ        第１ガイド孔
５５Ａ        第２ガイド孔
８Ａ          係止部材
８１Ａ        係止爪
１０Ａ        押圧ボルト
１０１Ａ      ボルト本体
１０２Ａ      ねじ部
１０３Ａ      ボルトヘッド
１０４Ａ      貫通孔
１１Ａ        ナット
１１１Ａ      係合突起
１２Ａ        スプリング
【図１】
0004233211.tif 000002
【図２】
0004233211.tif 000003
【図３】
0004233211.tif 000004
【図４】
0004233211.tif 000005
【図５】
0004233211.tif 000006
【図６】
0004233211.tif 000007
【図７】
0004233211.tif 000008
【図８】
0004233211.tif 000009
【図９】
0004233211.tif 000010
【図１０】
0004233211.tif 000011
【図１１】
0004233211.tif 000012
【図１２】
0004233211.tif 000013
【図１３】
0004233211.tif 000014
【図１４】
0004233211.tif 000015
【図１５】
0004233211.tif 000016
【図１６】
0004233211.tif 000017
【図１７】
0004233211.tif 000018
【図１８】
0004233211.tif 000019